(57)【要約】【課題】エアフィルタに付着した塵埃を除去するブラシのメンテナンスを容易に行うことができる空気調和機を提供すること。【解決手段】本体ユニット１と、この本体ユニット１の下方に配置される化粧パネル２１とを備え、この化粧パネル２１の吸込グリル３０を通じて吸い込んだ空気中の塵埃を捕集するエアフィルタ４０と、このエアフィルタ４０に付着した塵埃を除去する清掃ユニット５０とを備え、この清掃ユニット５０は、エアフィルタ４０上を移動する清掃ユニット本体５５と、塵埃を除去する回転ブラシ７１を有するブラシユニット５６とを備え、このブラシユニット５６を清掃ユニット本体５５に対して着脱自在に構成した。【選択図】図４
2010159917.tif 000002
【特許請求の範囲】
【請求項１】
熱交換器及び送風機を有する本体ユニットと、この本体ユニットの下方に配置される化粧パネルとを備えた空気調和機において、
前記化粧パネルの吸込グリルを通じて吸い込んだ空気中の塵埃を捕集するエアフィルタと、このエアフィルタに付着した塵埃を除去する除去装置とを備え、この除去装置は、前記エアフィルタ上を移動する除去装置本体と、塵埃を除去するブラシを有するブラシユニットとを備え、このブラシユニットを前記除去装置本体に対して着脱自在としたことを特徴とする空気調和機。
【請求項２】
前記除去装置本体はブラシ駆動モータと、このブラシ駆動モータの駆動軸に連なる駆動ギアとを備え、前記ブラシユニットは、前記ブラシの回転軸に連なり、当該ブラシユニットを前記除去装置本体に装着した際に、前記駆動ギアに噛合する従動ギアを備えること特徴とする請求項１に記載の空気調和機。
【請求項３】
前記除去装置本体は、前記ブラシユニットの両側部を保持するとともに、当該ブラシユニットを水平方向に案内する溝部を備えることを特徴とする請求項１または２に記載の空気調和機。
【請求項４】
前記除去装置は、前記ブラシユニットを前記除去装置本体に装着した状態で固定するロック機構を備えることを特徴とする請求項１または３のいずれかに記載の空気調和機。
【発明の詳細な説明】
【技術分野】
【０００１】
本発明は、吸込グリルから吸い込んだ空気中の塵埃を捕集するエアフィルタを備えた空気調和機に関する。
【背景技術】
【０００２】
従来、熱交換器及び送風機を有する本体ユニットと、この本体ユニットの下方に配置される化粧パネルとを備えた空気調和機が知られている。この種の空気調和機では、化粧パネルの吸込グリルにエアフィルタが配置され、このエアフィルタに付着した塵埃を除去するブラシを内蔵し、このブラシにより除去された塵埃を回収する清掃ユニットと、この清掃ユニットをエアフィルタ上で移動させる駆動手段とからなるフィルタ清掃手段を備えるものが提案されている（例えば、特許文献１参照）。
【特許文献１】特開２００７−２７１１７４号公報
【発明の開示】
【発明が解決しようとする課題】
【０００３】
ところで、ブラシに付着した塵埃を完全に除去することは難しく、所定期間が経過ごとにブラシの交換や清掃などのメンテナンスを行う必要がある。
しかし、従来の構成では、フィルタ清掃手段からブラシを取り外すためには、フィルタ清掃手段を分解することを要し、ブラシのメンテナンスを容易に行うことが難しいという問題があった。さらに、フィルタ清掃手段が本体ユニットや化粧パネル等に配置される場合には、ブラシのメンテナンスが高所作業となるため、このメンテナンスがより困難となることがあった。
そこで、本発明は、上述した従来の技術が有する課題を解消し、エアフィルタに付着した塵埃を除去するブラシのメンテナンスを容易に行うことができる空気調和機を提供することを目的とする。
【課題を解決するための手段】
【０００４】
本発明は、熱交換器及び送風機を有する本体ユニットと、この本体ユニットの下方に配置される化粧パネルとを備えた空気調和機において、前記化粧パネルの吸込グリルを通じて吸い込んだ空気中の塵埃を捕集するエアフィルタと、このエアフィルタに付着した塵埃を除去する除去装置とを備え、この除去装置は、前記エアフィルタ上を移動する除去装置本体と、塵埃を除去するブラシを有するブラシユニットとを備え、このブラシユニットを前記除去装置本体に対して着脱自在としたことを特徴とする空気調和機。
【０００５】
この構成によれば、ブラシユニットを除去装置本体に対して着脱自在としたため、この除去装置本体を空気調和機に残したまま、ブラシを取り外すことができることにより、当該ブラシのメンテナンスを容易に行うことができる。
【０００６】
この構成において、前記除去装置本体はブラシ駆動モータと、このブラシ駆動モータの駆動軸に連なる駆動ギアとを備え、前記ブラシユニットは、前記ブラシの回転軸に連なり、当該ブラシユニットを前記除去装置本体に装着した際に、前記駆動ギアに噛合する従動ギアを備える構成としても良い。
この構成によれば、取り外される側のブラシユニットには、モータ等の電気部品が配置されないため、着脱を容易に行うことができる。さらに、ブラシユニットは、当該ブラシユニットを前記除去装置本体に装着した際に、駆動ギアに噛合する従動ギアを備えるため、簡単な操作でモータの駆動力をブラシに伝達させることができる。
【０００７】
また、前記除去装置本体は、前記ブラシユニットの両側部を保持するとともに、当該ブラシユニットを水平方向に案内する溝部を備える構成としても良い。この構成によれば、ブラシユニットの両側部が溝部に保持されるため、着脱作業時にブラシユニットを手で保持しなくても当該ブラシユニットの落下が防止される。このため、例えば、高所での作業の場合であっても、ブラシユニットを水平に操作することにより、当該ブラシユニットの着脱を片手で行うことができるため、容易に作業を行うことができる。
【０００８】
また、前記除去装置は、前記ブラシユニットを前記除去装置本体に装着した状態で固定するロック機構を備える構成としても良い。この構成によれば、ロック機構により、ブラシユニットが除去装置本体に固定されるため、エアフィルタの清掃動作中にブラシユニットが除去装置本体から脱落することが防止される。
【発明の効果】
【０００９】
本発明によれば、除去装置は、エアフィルタ上を移動する除去装置本体と、塵埃を除去するブラシを有するブラシユニットとを備え、このブラシユニットを除去装置本体に対して着脱自在としたため、この除去装置本体を空気調和機に残したまま、ブラシを取り外すことができ、当該ブラシのメンテナンスを容易に行うことができる。
【発明を実施するための最良の形態】
【００１０】
以下、本発明の一実施の形態を、図面を参照して説明する。
図１は、本発明の実施の形態に係る天井埋込型空気調和機１００の分解斜視図であり、図２は天井埋込型空気調和機１００の断面図である。
天井埋込型空気調和機１００は、図１及び図２に示すように、箱形に形成された板金製の本体ユニット１を有し、この本体ユニット１と、フィルタチャンバ２０と、化粧パネル２１とが三段に重ねられて構成されている。
本体ユニット１の外側面には、図１に示すように、複数の吊り金具１Ｂが設けられており、各々の吊り金具１Ｂには、図２に示すように、天井面１１０に固定された吊下ボルト２がナット４（図１）によって固定され、これらの吊下ボルト２を介して、天井埋込型空気調和機１００は天井面１１０から吊り下げ設置される。この場合、天井埋込型空気調和機１００の化粧パネル２１は、上記天井面１１０の下方に天井裏空間１１１を介して設けられる天井板１１２に配置されて被調和室に露出している。
【００１１】
図２に示すように、本体ユニット１の内部には、側板１Ａ及び天板の内側に発泡スチロール製の断熱材３がほぼ全面にわたって配置されており、この断熱材３の内側に、送風機９、及び熱交換器１１が収容されている。
送風機９は、シャフトを下向きに配置されたモータ５と、モータ５のシャフトに取り付けられたターボファン７とで構成されている。熱交換器１１は、上面視で五角形に成形されたプレートフィン型の熱交換器であり、送風機９を取り囲むように配置される。
【００１２】
熱交換器１１の下方には、熱交換器１１の下面１１Ａを覆うように、発泡スチロール樹脂等の合成樹脂製のドレンパン１３が配設され、ドレンパン１３に溜まるドレンを外部に排出するドレンポンプ（図示略）が設けられている。
ドレンパン１３は、本体ユニット１の側板１Ａの内面に接するように配設され、ドレンパン１３の中央には吸込開口１４が開口し、周縁部には熱交換器１１を通った送風機９の排気を通すための吹出開口１５が形成されている。吸込開口１４の上部には、吸込開口１４を通った被調和室の空気を送風機９に案内するノズル１７が取り付けられている。また、ドレンパン１３には天井埋込型空気調和機１００の制御回路や電源回路等を収容した電装ボックス（図示略）等の各種部品がねじ止めされている。
【００１３】
フィルタチャンバ２０は、ドレンパン１３の直下に重ねて配設されており、フィルタチャンバ２０にはドレンパン１３の吹出開口１５に連通する通風孔２５と、吸込開口１４に連通する矩形状の吸込開口２６とが形成されている。フィルタチャンバ２０は、吸込開口２６の四辺に沿って形成される枠部材２６Ａを備え、この枠部材２６Ａには、図１及び図２に示すように、吸込開口２６を通じて本体ユニット１に流入する被調和室内の空気中に含まれる塵埃を捕集するエアフィルタ４０が嵌め込まれている。このエアフィルタ４０は、網目状に形成されるフィルタ素材４１と、このフィルタ素材４１を支持する格子状に形成されたフィルタ支持枠４２とを備え、これらフィルタ素材４１とフィルタ支持枠４２とが一体に形成されている。
本構成では、フィルタチャンバ２０は、エアフィルタ４０の風上側、すなわちエアフィルタ４０の下面（捕集面）側に、当該エアフィルタ４０に付着した塵埃を自動的に除去する清掃ユニット（除去装置）５０を備える。この清掃ユニット５０は、エアフィルタ４０の下面を、図２に矢印Ｘで示す方向に移動可能に構成されており、この移動の際に当該エアフィルタ４０に付着した塵埃を除去するものである。この清掃ユニット５０については後述する。
【００１４】
フィルタチャンバ２０の下面には、被調和室内に露出する化粧パネル２１がねじ（図示略）等により取り付けられている。化粧パネル２１には、被調和室の空気を吸込む吸込口２２と、熱交換器１１を通った調和空気を被調和室に吹き出す吹出口２３とが形成され、この吹出口２３には、風向を変更するためのルーバ２４が設けられている。
吸込口２２はフィルタチャンバ２０の吸込開口２６に連通し、吹出口２３はフィルタチャンバ２０の通風孔２５に連通する位置および形状に形成されている。
【００１５】
また、化粧パネル２１には、吸込口２２に嵌合する吸込グリル３０と、吸込グリル３０を４本の吊紐３６、３７、３８、３９によって昇降自在に支持する昇降ユニット３５とが取り付けられている。本実施形態では、吸込グリル３０と昇降ユニット３５とを備えて昇降手段が構成される。吸込グリル３０の中央には室内空気を吸い込む吸込口３１が形成され、この吸込グリル３０が吸込口２２に嵌合した状態で吸込口３１が吸込開口２６に連通する。
【００１６】
昇降ユニット３５は、化粧パネル２１の内側、すなわちフィルタチャンバ２０側の面に、板金製のステー（図示略）を介して取り付けられ、４本の吊紐３６〜３９を繰り出し、或いは巻き戻すことにより、所定の範囲で吸込グリル３０を昇降させる。
吸込グリル３０は、その一辺に２本の吊紐３６、３７が固定され、他辺に２本の吊紐３８、３９が固定されている。昇降ユニット３５は、吊紐３６、３７の繰り出し及び巻き戻しを行う第１機構（図示略）と、吊紐３８、３９の繰り出し及び巻き戻しを行う第２機構（図示略）と、これら第１機構及び第２機構を制御する制御基板（図示略）とを、一つの筐体に収納したものである。
吊紐３６〜３９は、その一端がそれぞれ吸込グリル３０の裏面、すなわち図２中上側の面に固定され、他端は、化粧パネル２１の裏面に設けられたガイド４３によって水平方向に転向され、昇降ユニット３５内に収容される。
【００１７】
吸込グリル３０には、図２に示すように、この吸込グリル３０を化粧パネル２１の吸込口２２に嵌合した際に、上記昇降ユニット３５と対向する一方の辺３０Ａと反対側の他方の辺３０Ｂに沿って、ダストボックス５７が配置されている。このダストボックス５７は、ダストボックス５７は、上面が開放された箱状に形成されており、清掃ユニット５０で除去された塵埃が当該清掃ユニット５０から移されて集積される。ダストボックス５７は、吸込グリル３０に着脱自在に支持されている。これによれば、ダストボックス５７内に塵埃が溜まったら、吸込グリル３０を下降させ、この吸込グリル３０からダストボックス５７を取り外して、当該塵埃を簡単に廃棄することができる。
本構成では、フィルタチャンバ２０にエアフィルタ４０と、このエアフィルタ４０上の塵埃を除去する清掃ユニット５０とを備え、この清掃ユニット５０で除去された塵埃が当該清掃ユニット５０から移されて集積されるダストボックス５７が吸込グリル３０に昇降可能に支持されている。このため、エアフィルタ４０と清掃ユニット５０とをフィルタチャンバ２０に残した状態で、ダストボックス５７を吸込グリル３０とともに昇降させることができるため、昇降ユニット３５の負荷の軽減を図ることができる。
【００１８】
このように構成される天井埋込型空気調和機１００は、図示しない室外機から供給される冷媒を熱交換器１１に通して、熱交換器１１を蒸発器または凝縮器として機能させ、図２に示すように、送風機９の動作によって吸込口３１から被調和室の室内空気を吸い込み、吸込開口２６、吸込開口１４、及びノズル１７を通して室内空気を熱交換器１１に通して冷却または加熱し、調和空気とする。そして、天井埋込型空気調和機１００は、送風機９の動作によって、調和空気を吹出開口１５及び通風孔２５を通して吹出口２３から被調和室に吹き出し、被調和室を冷房または暖房する。
【００１９】
次に、清掃ユニット５０について説明する。
図３は、化粧パネル２１を外した状態の本体ユニット１及びフィルタチャンバ２０を下方から見た斜視図である。
清掃ユニット５０は、図３に示すように、フィルタチャンバ２０内で、エアフィルタ４０の幅方向に亘って当該エアフィルタ４０の下面側に配置され、この下面側を往復移動自在に構成されている。この清掃ユニット５０は、空気調和機１００の運転中には、通風を阻害しない待機位置（例えば、昇降ユニット３５の上方）に位置している。
フィルタチャンバ２０の枠部材２６Ａの下面には、エアフィルタ４０の両側に一対のラックギア５１、５１が下向きに形成されている。これらラックギア５１、５１は、清掃ユニット５０が移動する方向に沿って延出している。また、フィルタチャンバ２０には、ラックギア５１、５１の下方にそれぞれ間隔をあけてガイドレール５２Ａ、５２Ｂが配置されている。本構成では、フィルタチャンバ２０は、清掃ユニット５０の移動方向に直交する方向に設けられた枠部材２６Ａから、それぞれ下方に延びる一対の支持台座２６Ｂ、２６Ｂを備え、これら支持台座２６Ｂ、２６Ｂにガイドレール５２Ａ、５２Ｂがねじ止めされている。
【００２０】
これらガイドレール５２Ａ、５２Ｂは、ラックギア５１、５１と協働して清掃ユニット５０の移動を案内するものであり、当該ガイドレール５２Ａ、５２Ｂとラックギア５１、５１との間隔は、清掃ユニット５０の両側に形成される機構収容部の高さと略同一に形成されている。すなわち、ガイドレール５２Ａ、５２Ｂ上に、それぞれ清掃ユニット５０の機構収容部を載置した状態で、これら機構収容部に収容された駆動用のピニオンギアとラックギア５１、５１とが噛合する間隔に設けられている。
ガイドレール５２Ａ、５２Ｂは、支持台座２６Ｂ、２６Ｂにねじ止めされているため、これらガイドレール５２Ａ、５２Ｂとラックギア５１、５１との間に清掃ユニット５０を簡単に配置することができる。本実施形態では、一方のガイドレール５２Ｂは幅広に形成され、このガイドレール５２Ｂの下面には、清掃ユニット５０の動作を制御する制御ボックス５３が配置されている。
【００２１】
清掃ユニット５０は、図４及び図５に示すように、ガイドレール５２Ａ、５２Ｂ上を移動する清掃ユニット本体（除去装置本体）５５と、この清掃ユニット本体５５に着脱自在に構成されるブラシユニット５６とを備える。清掃ユニット本体５５は、図４Ａに示すように、ガイドレール５２Ａの上に載置される第１の機構収容部５５Ａと、幅広のガイドレール５２Ｂの上に載置される第２の機構収容部５５Ｂと、これら両機構収容部５５Ａ、５５Ｂを連結し、エアフィルタ４０の幅方向に亘って延在する本体部５５Ｃとを備える。両機構収容部５５Ａ、５５Ｂは、本体部５５Ｃよりも、清掃ユニット本体５５の移動方向の一方に大きく突出して形成され、この突出した部分と本体部５５Ｃとで形成されたエリアＡにブラシユニット５６が取り付けられる。
第２の機構収容部５５Ｂには、清掃ユニット５０をガイドレール５２Ａ、５２Ｂ上を移動させる移動用モータ６０と、この移動用モータ６０の駆動軸６０Ａに設けられた第１ピニオンギア６１と、この第１ピニオンギア６１に噛合する第２ピニオンギア（ピニオンギア）６２とが収容されている。この第２ピニオンギア６２には、本体部５５Ｃ内に収容される回転軸６３の一端が連結され、この回転軸６３の他端には、第１の機構収容部５５Ａに収容され、上記第２ピニオンギア６２と同径、同歯数の第３ピニオンギア６４が連結されている。
これら第２及び第３ピニオンギア６２、６４は、それぞれ両機構収容部５５Ａ、５５Ｂの上面に形成された開口部を通じて露出し、各ラックギア５１、５１に噛合っている。移動用モータ６０の駆動により、ラックギア５１、５１上を第２及び第３ピニオンギア６２、６４が回転することによって、図２に示すように、清掃ユニット５０を、エアフィルタ４０の下面に沿って当該エアフィルタ４０の一端側４０Ａから他端側４０Ｂまで移動させることができる。また、第２の機構収容部５５Ｂには、ブラシ駆動モータ６６と、このブラシ駆動モータ６６の駆動軸６６Ａに設けられた第４ピニオンギア（駆動ギア）６７とが収容されている。
【００２２】
一方、ブラシユニット５６は、図４に示すように、横長のケース体７０と、このケース体７０内に収容される横長の回転ブラシ（ブラシ）７１とを備える。ケース体７０の上面には、図４Ｂに示すように、開口部７９が形成され、回転ブラシ７１の外周部が当該ケース体７０の外側に突出している。これにより、エアフィルタ４０に付着した塵埃が回転ブラシ７１の回転により掻き落とされ、この掻き落とされた塵埃はケース体７０の内部に捕集される。また、回転ブラシ７１は、図４Ａに示すように、このの回転ブラシ７１の回転軸７２の一端７２Ａがケース体７０の外部に延出しており、この一端７２Ａには、上記第４ピニオンギア６７と噛合する第５ピニオンギア（従動ギア）７３が設けられている。
また、ケース体７０には、回転ブラシ７１の下方に、この回転ブラシ７１で掻き落とした（除去した）塵埃を受けて、この塵埃を一時的に貯める塵埃収容室７４が形成されている。この塵埃収容室７４は、図３に示すように、ガイドレール５２Ａ，５２Ｂ間に突出して形成されている。
【００２３】
塵埃収容室７４には、回転ブラシ７１の下方に当該回転ブラシ７１の全幅に渡って延在する塵埃剥離板７８が取り付けられている。この塵埃剥離板７８は、その先端を回転ブラシ７１の外周面に略沿う方向に屈曲して当該回転ブラシ７１に接触する爪部を有し、回転ブラシ７１が回転した場合に、この回転ブラシ７１と上記爪部とが接触して、回転ブラシ７１に付着した塵埃を剥離して塵埃収容室７４に収容させる。
ケース体７０の下面には、開閉自在な下蓋７５が設けられ、この下蓋７５は、塵埃収容室７４に溜まった塵埃をダストボックス５７に投下する際に開放される。この下蓋７５は、塵埃収容室７４の下縁部にヒンジ軸７６を介してヒンジ連結され、通常時には、内部の塵埃が落下しないように閉塞する方向にばね付勢されている。
また、下蓋７５には、ヒンジ軸７６側に下方に突出する三角形状の複数の突出片７７が形成されている。これら突出片７７は、塵埃収容室７４の幅方向に所定間隔をあけて略同じ大きさに設けられており、ブラシユニット５６をダストボックス５７上に移動させた場合に、このダストボックス５７と当接し、ばね力に抗って下蓋７５を開放させる機能を有する。
【００２４】
清掃ユニット本体５５の両機構収容部５５Ａ、５５Ｂには、図４Ｂに示すように、この両機構収容部５５Ａ、５５Ｂの対向する面に、それぞれブラシユニット５６の両側部７０Ａ、７０Ｂを保持するとともに、当該ブラシユニット５６を水平方向に案内する案内溝（溝部）６８、６８が形成されている。この案内溝６８、６８の高さは、ブラシユニット５６の両側部７０Ａ、７０Ｂの高さと略同一に形成され、当該ブラシユニット５６をスムーズに着脱できるようになっている。
この構成では、ブラシユニット５６の両側部７０Ａ、７０Ｂが案内溝６８、６８に保持されるため、着脱作業時にブラシユニット５６を手で保持しなくても当該ブラシユニット５６の落下が防止される。また、ブラシユニット５６を着脱する際には、案内溝（溝部）６８、６８に沿って、ブラシユニット５６を水平方向に移動させれば良いため、例えば、ブラシユニット５６の着脱作業を高所で行う場合であっても、ブラシユニット５６を水平に移動操作することにより、当該ブラシユニット５６の着脱を片手で行うことができるため、容易に作業を行うことができる。
また、第２の機構収容部５５Ｂ側の案内溝６８の側面には、ブラシユニット５６の挿入方向側に開いた切り欠き６９が形成され、図５Ａに示すように、この切り欠き６９を通じて、ブラシユニット５６の第５ピニオンギア７３が第２の機構収容部５５Ｂ内に進入し、第４ピニオンギア６７と噛合するようになっている。
【００２５】
また、清掃ユニット５０は、ブラシユニット５６を清掃ユニット本体５５に装着した状態で固定するロック機構８０を備える。このロック機構８０は、清掃ユニット本体５５の本体部５５Ｃから延びる板材８１に形成された一対の係止爪８２と、ブラシユニット５６のケース体７０に設けられ、係止爪８２が嵌る係止溝８３とを備える。
係止爪８２は、板材８１の下面に配置されたスライドレバー８４と一体に作動し、空気調和機１００の下方からロック機構８０を操作することができる。また、このスライドレバー８４は、清掃ユニット５０が移動する方向と直交方向にスライド可能に形成されているため、清掃ユニット５０の移動動作によってもロック機構８０が解除されることが防止される。
【００２６】
次に、動作について説明する。
深夜時間帯等、天井埋込型空気調和機１００の運転が停止している場合に、上記した清掃ユニット５０が動作される。この清掃ユニット５０の移動用モータ６０が動作されると、この移動用モータ６０の回転が第２及び第３ピニオンギア６２，６４に伝達され、これらピニオンギア６２、６４がラックギア５１、５１上を回転することによって、清掃ユニット５０がガイドレール５２Ａ，５２Ｂ上を往復移動する。
また、ブラシ駆動モータ６６が動作されると、このブラシ駆動モータ６６の回転が回転ブラシ７１に伝達されて当該回転ブラシ７１が回転する。この回転ブラシ７１の回転により、エアフィルタ４０に付着した塵埃は掻き落とされ塵埃収容室７４に収容される。
【００２７】
この塵埃収容室７４に収容された塵埃は、塵埃収容室７４（清掃ユニット５０）がダストボックス５７上に移動した際に、このダストボックス５７内に投下される。具体的には、清掃ユニット５０がダストボックス５７上に移動する場合、清掃ユニット５０の塵埃収容室７４の下蓋７５には突出片７７が形成されているため、この突出片７７がダストボックス５７に当接することにより、下蓋７５はヒンジ軸７６を中心に塵埃収容室７４の外側に開放される。これにより、塵埃収容室７４内の塵埃はダストボックス５７内に投下される。
本実施形態では、清掃ユニット５０がエアフィルタ４０の下面を一往復するごとに、この清掃ユニット５０の塵埃収容室７４は、ダストボックス５７の上方に移動し、当該塵埃収容室７４内の塵埃をダストボックス５７に投下する動作を実行するが、これに限るものではなく、例えば、清掃ユニット５０の掃除動作が終了するごと、もしくは、この掃除動作を複数回実行するごとに、清掃ユニット５０をダストボックス５７の上方に移動させ、当該ダストボックス５７への投下動作を実行するように制御しても良い。
【００２８】
ダストボックス５７内に塵埃が溜まったら、このダストボックス５７を吸込グリル３０とともに下降させる。このダストボックス５７は、吸込グリル３０に着脱自在に配置されているため、このダストボックス５７を吸込グリル３０から取り外して当該ダストボックス５７内の塵埃を容易に廃棄することができる。本実施形態では、天井埋込型空気調和機１００の運転時間が所定時間（例えば３ヶ月）に至ったら、ダストボックス５７を吸込グリル３０とともに降下させているが、これに限るものではなく、例えば、ダストボックス５７内に塵埃の量を検出する満量センサを設け、この満量センサが作動した場合に、ダストボックス５７を降下させる構成としても良い。
【００２９】
以上、説明したように、本実施形態によれば、熱交換器１１及び送風機９を有する本体ユニット１と、この本体ユニット１の下方に配置される化粧パネル２１とを備えた天井埋込型空気調和機１００において、化粧パネル２１の吸込グリル３０を通じて吸い込んだ空気中の塵埃を捕集するエアフィルタ４０と、このエアフィルタ４０に付着した塵埃を除去する清掃ユニット５０とを備え、この清掃ユニット５０は、エアフィルタ４０上を移動する清掃ユニット本体５５と、塵埃を除去する回転ブラシ７１を有するブラシユニット５６とを備え、このブラシユニット５６を清掃ユニット本体５５に対して着脱自在としたため、この清掃ユニット本体５５を天井埋込型空気調和機１００内に残したまま、ブラシユニット５６を簡単に取り外すことができ、回転ブラシ７１のメンテナンスを容易に行うことができる。
【００３０】
また、本実施形態によれば、清掃ユニット本体５５はブラシ駆動モータ６６と、このブラシ駆動モータ６６の駆動軸６６Ａに連なる第４ピニオンギア６７とを備え、ブラシユニット５６は、回転ブラシ７１の回転軸７２に連なり、当該ブラシユニット５６を清掃ユニット本体５５に装着した際に、第４ピニオンギア６７に噛合する第５ピニオンギア７３を備えるため、取り外される側のブラシユニット５６には、モータ等の電気部品が配置する必要がなく、ブラシユニット５６の着脱を容易に行うことができる。さらに、ブラシユニット５６は、当該ブラシユニット５６を清掃ユニット本体５５に装着した際に、第４ピニオンギア６７に噛合する第５ピニオンギア７３を備えるため、ブラシユニット５６を清掃ユニット本体５５に装着するといった簡単な操作で、清掃ユニット本体５５に配置されるブラシ駆動モータ６６の駆動力を回転ブラシ７１に伝達することができる。
【００３１】
また、本実施形態によれば、清掃ユニット本体５５は、この清掃ユニット本体５５の両側に位置する両機構収容部５５Ａ、５５Ｂの対向する面に、それぞれブラシユニット５６の両側部７０Ａ、７０Ｂを保持するとともに、当該ブラシユニット５６を水平方向に案内する案内溝６８、６８が形成されているため、着脱作業時にブラシユニット５６を手で保持しなくても当該ブラシユニット５６の落下が防止される。また、ブラシユニット５６を着脱する際には、案内溝（溝部）６８、６８に沿って、ブラシユニット５６を水平方向に移動させれば良いため、例えば、ブラシユニット５６の着脱作業を高所で行う場合であっても、ブラシユニット５６を水平に移動操作することにより、当該ブラシユニット５６の着脱を片手で行うことができるため、容易に作業を行うことができる。
【００３２】
また、本実施形態によれば、清掃ユニット５０は、ブラシユニット５６を清掃ユニット本体５５に装着した状態で固定するロック機構８０を備えるため、このロック機構８０により、ブラシユニット５６が清掃ユニット本体５５に固定されるため、清掃ユニット５０によるエアフィルタ４０の清掃中に、ブラシユニット５６が清掃ユニット本体５５から脱落することが防止される。
以上、本発明の一実施形態について説明したが、本発明はこれに限定されるものではなく、種々の変更実施が可能である。例えば、上記実施形態では、ダストボックス５７を吸込グリル３０とともに昇降させる構成について説明したが、ダストボックス５７の４隅に吊紐を設け、このダストボックス５７のみを昇降させる構成としても良い。
【図面の簡単な説明】
【００３３】
【図１】本発明の実施の形態に係る天井埋込型空気調和機の分解斜視図である。
【図２】天井埋込型空気調和機の断面図である。
【図３】化粧パネルを外した状態の本体ユニット及びフィルタチャンバを下方から見た斜視図である。
【図４】清掃ユニットを示す図であり、図４Ａは、清掃ユニット本体とブラシユニットとが分離した状態を示す下面図であり、図４Ｂは、図４ＡのＡ−Ａ断面図である。
【図５】清掃ユニットを示す図であり、図５Ａは、清掃ユニット本体とブラシユニットとが連結した状態を示す下面図であり、図５Ｂは、図５ＡのＢ−Ｂ断面図である。
【符号の説明】
【００３４】
１  本体ユニット
９  送風機
１１  熱交換器
２０  フィルタチャンバ
２１  化粧パネル
２６Ａ  枠部材
２６Ｂ  支持台座
３０  吸込グリル
３５  昇降ユニット
４０  エアフィルタ
５０  清掃ユニット（除去装置）
５１  ラックギア
５２Ａ、５２Ｂ  ガイドレール
５３  制御ボックス
５５  清掃ユニット本体（除去装置本体）
５５Ａ  第１の機構収容部
５５Ｂ  第２の機構収容部
５５Ｃ  本体部
５６  ブラシユニット
５７  ダストボックス
６０  移動用モータ
６０Ａ  駆動軸
６１  第１ピニオンギア
６２  第２ピニオンギア（ピニオンギア）
６３  回転軸
６４  第３ピニオンギア（ピニオンギア）
６６  ブラシ駆動モータ
６６Ａ  駆動軸
６７  第４ピニオンギア（駆動ギア）
６８  案内溝（溝部）
７０  ケース体
７０Ａ、７０Ｂ  側部
７１  回転ブラシ（ブラシ）
７２  回転軸
７３  第５ピニオンギア（従動ギア）
７４  塵埃収容室
７５  下蓋
８０  ロック機構
１００  天井埋込型空気調和機（空気調和機）
【図１】
2010159917.tif 000003
【図２】
2010159917.tif 000004
【図３】
2010159917.tif 000005
【図４】
2010159917.tif 000006
【図５】
2010159917.tif 000007